(57)【特許請求の範囲】
【請求項１】
建物屋根の軒裏下方に、前記屋根を支持する梁と、耐火外壁板とを有し、該耐火外壁板の外壁面に軒裏天井板を設けた軒裏用耐火構造において、
前記耐火外壁板の上端と、前記建物屋根の軒裏との間に、前記梁よりも前記耐火外壁板の外壁面側で、前記耐火外壁板に連続する耐火板を設け、
前記耐火板は、前記梁に形成された貫通孔に挿入される部材によって前記梁に締結された耐火板受部に取り付けられており、
前記耐火板受部は、前記梁の前記耐火外壁板の外壁面側からのみで前記梁に固定されていることを特徴とする軒裏用耐火構造。
【請求項２】
前記耐火板は、前記耐火外壁板と同一の素材で、同一厚さで構成されたことを特徴とする請求項１に記載の軒裏用耐火構造。
【請求項３】
前記軒裏天井板は、耐火軒裏天井板であることを特徴とする請求項１または請求項２に記載の軒裏用耐火構造。
【発明の詳細な説明】
【技術分野】
【０００１】
本発明は、建物屋根の軒裏下方の耐火外壁面に軒裏天井板を設けた軒裏用耐火構造に関するものである。
【背景技術】
【０００２】
従来の軒裏用耐火構造としては、特開２００１−０２０４０８号公報（特許文献１）に記載されたように、建物屋根の軒裏下方の外壁面に耐火軒裏天井板を設けたものがある。また、特許第３８９８８３１号公報（特許文献２）に記載されたように、建物屋根の軒裏下方の軒天材を２枚重ねて耐火性能を向上させるものもある。
【０００３】
【特許文献１】特開２００１−０２０４０８号公報
【特許文献２】特許第３８９８８３１号公報
【発明の開示】
【発明が解決しようとする課題】
【０００４】
しかしながら、前述の従来例では、耐火軒裏天井板は水平に掛け渡して両端部で支持する構成から軽量化のために板厚が小さくなり強度が弱く、外力に対して破損し易いため壊れた場合には耐火性能を発揮できないといった問題があった。また、耐火軒裏天井板を２重に重ねた場合、重量が大きくなり、水平支持構造が大型化するといった問題がある。
【０００５】
本発明は前記課題を解決するものであり、その目的とするところは、耐火軒裏天井板が破損されたとしても完全な耐火性能を発揮し得る軒裏用耐火構造を提供せんとするものである。
【課題を解決するための手段】
【０００６】
前記目的を達成するための本発明に係る軒裏用耐火構造の第１の構成は、建物屋根の軒裏下方に、前記屋根を支持する梁と、耐火外壁板とを有し、該耐火外壁板の外壁面に軒裏天井板を設けた軒裏用耐火構造において、前記耐火外壁板の上端と、前記建物屋根の軒裏との間に、前記梁よりも前記耐火外壁板の外壁面側で、前記耐火外壁板に連続する耐火板を設け、前記耐火板は、前記梁に形成された貫通孔に挿入される部材によって前記梁に締結された耐火板受部に取り付けられており、前記耐火板受部は、前記梁の前記耐火外壁板の外壁面側からのみで前記梁に固定されていることを特徴とする。
【０００７】
また、本発明に係る軒裏用耐火構造の第２の構成は、前記第１の構成において、前記耐火板は、前記耐火外壁板と同一の素材で、同一厚さで構成されたことを特徴とする。
【０００８】
また、本発明に係る軒裏用耐火構造の第３の構成は、前記第１、第２の構成において、前記軒裏天井板は、耐火軒裏天井板であることを特徴とする。
【発明の効果】
【００１０】
本発明に係る軒裏用耐火構造の第１の構成によれば、耐火外壁面の上端と、建物屋根の軒裏との間に設けた耐火板により、耐火軒裏天井板に耐火性がなくとも、建築基準法、住宅の品質確保の促進等に関する法律に定める仕様規準を満足することが出来る。さらに、耐火板を建物の梁に外壁面側からのみで固定出来ることで、簡単な作業で既存建物にも後付することが出来る。
【００１１】
また、本発明に係る軒裏用耐火構造の第２の構成によれば、耐火板を耐火外壁面を構成する耐火外壁板と同一の素材で同一厚さで構成することで外壁と同程度の耐火性能を得ることが出来る。
【００１２】
また、本発明に係る軒裏用耐火構造の第３の構成によれば、軒裏天井板を耐火軒裏天井板としたことで、該耐火軒裏天井板と、耐火外壁面の上端と建物屋根の軒裏との間に設けた耐火板とにより耐火を２重の構造とすることが出来る。
【発明を実施するための最良の形態】
【００１４】
図により本発明に係る軒裏用耐火構造の一実施形態を具体的に説明する。図１は本発明に係る軒裏用耐火構造の第１実施形態の構成を示す断面説明図、図２は耐火板を建物の鉄骨梁に外壁側から固定する様子を示す分解斜視図、図３は耐火板受金具Ａの分解斜視図、図４は本発明に係る軒裏用耐火構造の第２実施形態の構成を示す断面説明図、図５は本発明に係る軒裏用耐火構造の第２実施形態の構成を示す分解斜視図、図６は耐火板受金具Ｂを梁に取り付けた様子を示す断面説明図、図７は耐火板受金具Ｂの構成を示す三面図、図８及び図９は本発明に係る軒裏用耐火構造の他の構成を示す断面説明図、図10は耐火板受金具Ａ，Ｂを梁に取り付けた様子を示す分解斜視図である。
【００１５】
図１及び図４は、所定の勾配で傾斜した建物屋根１の軒裏１ａ下方の耐火外壁面を構成する軽量気泡コンクリート（ＡＬＣ）耐火外壁板２に耐火軒裏天井板12を設けた軒裏用耐火構造を示す。耐火外壁面を構成する耐火外壁板２の上端と、建物屋根１の軒裏１ａとの間には軒裏用耐火板３が設けられる。
【００１６】
軒裏用耐火板３は耐火外壁面を構成する耐火外壁板２と同一の軽量気泡コンクリート（ＡＬＣ）の素材で同一厚さで構成され、耐火板受金具Ａ，Ｂにより建物の鉄骨梁４に外壁側からのみで固定される。
【００１７】
図１及び図４において、建物屋根１の軒裏１ａには、最上階の軽量気泡コンクリート（ＡＬＣ）からなる耐火外壁板２の上部に連続して軽量気泡コンクリート（ＡＬＣ）からなる軒裏用耐火板３が屋根１を支持する鉄骨梁４に取り付けられている。
【００１８】
図１〜図３に示す耐火板受金具Ａは、鉄骨梁４のウエブ４ａに設けられた貫通穴4a1の外径よりも長尺で且つ該ウエブ４ａの高さよりも短尺な一対の平板５とＬ型板６とを有して構成され、本実施形態のＬ型板６の起立片６ａに設けられた耐火板受部は、該起立片６ａから更に直角に折り曲げた耐火板受片６ｂを有して全体が断面Ｚ字形状で構成されている。尚、耐火板受片６ｂを起立片６ａからボルト挿通孔6c1が設けられる固定片６ｃ側に折り曲げて全体を断面コ字形状で構成することも出来る。尚、ボルトナットでウエブ４ａに耐火板受金具Ａを固定する際、作業スペースを取り易くするためには、断面Ｚ字型の方が好ましい。
【００１９】
平板５に設けられたボルト挿通孔５ｂの中心から該平板５の一端５ａまでの長さは、鉄骨梁４のウエブ４ａの高さ方向の中心から鉄骨梁４の下フランジ４ｃの上面までの長さに設定される。
【００２０】
Ｌ型板６の一端部には起立片６ａと耐火板受片６ｂの一部を切り欠いた切欠部６ｄが設けられている。
【００２１】
耐火板受金具Ａを鉄骨梁４のウエブ４ａに取り付ける場合には、先ず、平板５のボルト挿通孔５ｂとＬ型板６のボルト挿通孔6c1に平板５側からボルト７を挿通し、該ボルト７にＬ型板６側からナット８を仮止めした状態で平板５の一端側を鉄骨梁４のウエブ４ａの貫通穴4a1からウエブ４ａの屋内側に挿入し、更に平板５の他端側を貫通穴4a1からウエブ４ａの屋内側に挿入して平板５とＬ型板６との間にウエブ４ａを配置する。このとき、平板５の下端５ａを鉄骨梁４の下フランジ４ｃの上面に当接させる。
【００２２】
そして、鉄骨梁４のウエブ４ａに設けられた貫通穴4a1の周縁のウエブ４ａを挟んだ両側に該貫通穴4a1の外径よりも長尺で且つ前記ウエブ４ａの高さよりも短尺な一対の平板５とＬ型板６とを当接し、該平板５とＬ型板６のそれぞれの鉄骨梁４のウエブ４ａの貫通穴4a1内の範囲に設けられたボルト挿通孔５ｂ，6c1に挿通されるボルト７にナット８を螺合締結して該平板５とＬ型板６とを鉄骨梁４のウエブ４ａを挟んで固定する。
【００２３】
図２に示すように、鉄骨梁４のウエブ４ａの貫通穴4a1の周縁にそれぞれ取り付けた複数の耐火板受金具Ａの耐火板受部となる耐火板受片６ｂに断面コ字形状の長尺部材９を渡して当接し、ドリルねじ10により固定する。そして、長尺部材９に軒裏用耐火板３をドリルねじ11により取り付ける。尚、鉄骨梁４のウエブ４ａの屋内側に設けられる図示しない断熱板とウエブ４ａとの間に空隙を設けてあればより好ましい。
【００２４】
尚、長尺部材９を省略して耐火板受金具Ａの耐火板受片６ｂに直接、軒裏用耐火板３をドリルねじ11により取り付けることでも良い。
【００２５】
図４〜図７に示す第２実施形態では、鉄骨梁４のウエブ４ａに貫通穴4a1がない場合や他の障害物があって貫通穴4a1が利用できない場合に、図４〜図６に示すように、鉄骨梁４の上下フランジ４ｂ，４ｃに設けた一対の貫通孔4b1，4c1を利用して鉄骨梁４に取り付けることが出来る耐火板受金具Ｂを使用したものである。
【００２６】
耐火板受金具Ｂは、図７に示すように、軒裏用耐火板３を取り付けるための箱型の耐火板受部21の両端部に軸部22，23が設けられており、一方の軸部22にリング状の係止部22ａが設けられ、他方の軸部23にネジ部23ａが設けられている。
【００２７】
そして、図６に示すように、ネジ部23ａの耐火板受部21近傍の位置までナット24を螺合した状態で、鉄骨梁４の下フランジ４ｃの上面側から該下フランジ４ｃの貫通孔4c1内に一方の軸部23を挿入した後、鉄骨梁４の上フランジ４ｂの下面側から該上フランジ４ｂの貫通孔4b1内に他方の軸部22を挿入し、ナット24をネジ部23ａに沿って下フランジ４ｃ側に進行させ、軸部22の係止部22ａを上フランジ４ｂの下面に当接係止すると共に、ナット24を下フランジ４ｃの上面に当接させて締結固定することが出来る。
【００２８】
このように、耐火板受金具Ｂの軒裏用耐火板３を取り付けるための耐火板受部21の両端部に設けられた軸部22，23が、鉄骨梁４の上下フランジ４ｂ，４ｃに設けられた一対の貫通孔4b1，4c1にそれぞれ挿入され、一方の軸部22に設けられた係止部22ａが一方のフランジである上フランジ４ｂの内面に係止されると共に、他方の軸部23に設けられたネジ部23ａに螺合されたナット24が他方のフランジである下フランジ４ｃの内面に当接係止されて固定される。
【００２９】
そして、前記実施形態と同様に、鉄骨梁４の上下フランジ４ｂ，４ｃに渡して取り付けた複数の耐火板受金具Ｂの耐火板受部21に長尺部材９を渡してドリルねじ10により固定し、該長尺部材９に軒裏用耐火板３をドリルねじ11により取り付けることが出来る。尚、長尺部材９を省略して耐火板受金具Ｂの耐火板受部21に直接、軒裏用耐火板３をドリルねじ11により取り付けることでも良い。
【００３０】
鉄骨梁４の上面より低い位置にベランダを設ける場合、ベランダの床面は一般の床パネルの床面よりも低い位置に設定されているため、図６に示すように、ベランダ床の落とし込み用アングル材25に干渉しないように軸部22の長さが適宜設定される。また、耐火板受金具ＡのＬ型板６に設けた切欠部６ｄも同様にベランダ床の落とし込み用アングル材25に干渉しないために形成したものである。
【００３１】
図８及び図９は水平な建物屋根１から鉄骨梁31により支持された軽量気泡コンクリート（ＡＬＣ）からなる耐火鼻隠し板32が垂下され、該耐火鼻隠し板32の下部と耐火外壁板２との上部との間で耐火軒裏天井板12が水平に支持されたものである。本実施形態においても軒裏用耐火板３が耐火板受金具Ａ，Ｂにより鉄骨梁４に外壁側からのみで固定することが出来る。他の構成は、前記実施形態と同様に構成され、同様な効果を有するものである。
【００３２】
図10は鉄骨梁４に対して耐火板受金具Ａ，Ｂを適宜選択的に取り付け、長尺部材９を省略して耐火板受金具ＡのＬ型板６の起立片６ａに接続された耐火板受片６ｂ及び耐火板受金具Ｂの耐火板受部21に直接、軒裏用耐火板３をドリルねじ11により取り付けた一例である。
【００３３】
上記構成によれば、耐火外壁面を構成する耐火外壁板２の上端と、建物屋根１の軒裏１ａとの間に設けた軒裏用耐火板３により、耐火軒裏天井板12が破損されたとしても、建築基準法、住宅の品質確保の促進等に関する法律に定める仕様規準を満足することが出来る。
【００３４】
また、軒裏用耐火板３を耐火外壁面を構成する耐火外壁板２と同一の素材で同一厚さで構成することで同程度の耐火性能を得ることが出来る。
【００３５】
また、軒裏天井板を耐火軒裏天井板12としたことで、該耐火軒裏天井板12と、耐火外壁面を構成する耐火外壁板２の上端と建物屋根１の軒裏１ａとの間に設けた軒裏用耐火板３とにより２重耐火構造とすることが出来る。
【００３６】
また、耐火板受金具Ａ，Ｂを用いて軒裏用耐火板３を建物の鉄骨梁４に外壁側からのみで固定出来ることで、簡単な作業で既存建物にも後付することが出来る。
【産業上の利用可能性】
【００３７】
本発明の活用例として、建物屋根の軒裏下方の耐火外壁面に軒裏天井板を設けた軒裏用耐火構造に適用出来る。
【図面の簡単な説明】
【００３８】
【図１】本発明に係る軒裏用耐火構造の第１実施形態の構成を示す断面説明図である。
【図２】耐火板を建物の鉄骨梁に外壁側から固定する様子を示す分解斜視図である。
【図３】耐火板受金具Ａの分解斜視図である。
【図４】本発明に係る軒裏用耐火構造の第２実施形態の構成を示す断面説明図である。
【図５】本発明に係る軒裏用耐火構造の第２実施形態の構成を示す分解斜視図である。
【図６】耐火板受金具Ｂを梁に取り付けた様子を示す断面説明図である。
【図７】耐火板受金具Ｂの構成を示す三面図である。
【図８】本発明に係る軒裏用耐火構造の他の構成を示す断面説明図である。
【図９】本発明に係る軒裏用耐火構造の他の構成を示す断面説明図である。
【図１０】耐火板受金具Ａ，Ｂを梁に取り付けた様子を示す分解斜視図である。
【符号の説明】
【００３９】
Ａ，Ｂ…耐火板受金具
１…建物屋根
１ａ…軒裏
２…耐火外壁板
３…軒裏用耐火板
４…鉄骨梁
４ａ…ウエブ
4a1…貫通穴
４ｂ，４ｃ…上下フランジ
4b1，4c1…貫通孔
５…平板
５ａ…一端（下端）
５ｂ…ボルト挿通孔
６…Ｌ型板
６ａ…起立片
６ｂ…耐火板受片
６ｃ…固定片
6c1…ボルト挿通孔
６ｄ…切欠部
７…ボルト
８…ナット
９…長尺部材
10，11…ドリルねじ
12…耐火軒裏天井板
21…耐火板受部
22，23…軸部
22ａ…係止部
23ａ…ネジ部
24…ナット
31…鉄骨梁
32…耐火鼻隠し板
【図１】
0005128249.tif 000002
【図２】
0005128249.tif 000003
【図３】
0005128249.tif 000004
【図４】
0005128249.tif 000005
【図５】
0005128249.tif 000006
【図６】
0005128249.tif 000007
【図７】
0005128249.tif 000008
【図８】
0005128249.tif 000009
【図９】
0005128249.tif 000010
【図１０】
0005128249.tif 000011